【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
磁気共鳴弾性率計測のための磁気共鳴（ＭＲ）適合変換器であって：
使用中、接触する対象に振動を伝達する少なくとも１つの外面を有するコンテナ内で回転するように配置された、回動可能に取り付けられた偏心質量体と；
前記回動可能に取り付けられた偏心質量体に対して機能するように接続され、前記回動可能に取り付けられた偏心質量体に回動エネルギーを与えるように配置された駆動軸とを備え；
前記偏心質量体、前記コンテナ、及び前記駆動軸は、ＭＲ適合材料からできている、
ＭＲ適合変換器。
【請求項２】
前記駆動軸は可撓性である、
請求項１に記載のＭＲ適合変換器。
【請求項３】
前記駆動軸は、可撓性非回転シース内に可撓性回転コアを備える、
請求項２に記載のＭＲ適合変換器。
【請求項４】
前記可撓性回転コアはリン青銅からできている、
請求項３に記載のＭＲ適合変換器。
【請求項５】
前記偏心質量体は、表面全体に不均一な質量配分を有するディスク状片を備える、
請求項１乃至請求項４のいずれか１項に記載のＭＲ適合変換器。
【請求項６】
前記偏心質量体は、質量中心のまわりに構造の対称性がないように、１つ以上の取り除かれた部分を有するディスク状片を備える、
請求項１乃至請求項５のいずれか１項に記載のＭＲ適合変換器。
【請求項７】
前記偏心質量体はディスク状片を備え、前記ディスク状片は、回動軸線が質量中心にないように、回動可能に偏心して取り付けられている、
請求項１乃至請求項６のいずれか１項に記載のＭＲ適合変換器。
【請求項８】
前記偏心質量体は、回動軸線のまわりに前記偏心質量体の回動位置を示すための手段を有する、
請求項１乃至請求項７のいずれか１項に記載のＭＲ適合変換器。
【請求項９】
前記偏心質量体の回動位置を示すための前記手段は、前記偏心質量体の外面上に位置決めされ、回動軸線まわりに前記偏心質量体と共に回動するように配置された反射部分を備え、本構成は、前記反射部分を照らすように配置された光源と、前記偏心質量体の前記回動位置の決定に用いるために前記反射部分からの光を集めるように配置された集光編成とを備える、
請求項８に記載のＭＲ適合変換器。
【請求項１０】
前記光源及び前記集光編成は、前記反射部分上に光を向けると共に反射された光を集めるように配置された共通の光導波路を備える、
請求項９に記載のＭＲ適合変換器。
【請求項１１】
前記光導波路は光ファイバである、
請求項１０に記載のＭＲ適合変換器。
【請求項１２】
前記コンテナは、複数の回動可能に取り付けられた偏心質量体を内部に有し、前記複数の回動可能に取り付けられた偏心質量体は、異なる速度で回動することを可能にするように、それぞれの軸を有する、
請求項１乃至請求項１１のいずれか１項に記載のＭＲ適合変換器。
【請求項１３】
前記それぞれの軸は、それぞれの軸に取り付けられた異なる大きさのそれぞれの歯車を有し、本構成は、前記それぞれの軸のうちの１つに適用された共通の回転駆動装置の回転によって異なる回転速度を提供するように、前記歯車同士が共に噛合う、
請求項１２に記載のＭＲ適合変換器。
【請求項１４】
複数のコンテナを備え、前記複数のコンテナは、共通の回転駆動装置からそれぞれの振動エネルギーを生成するように、長さのある回転駆動軸のそれぞれによって連続して連結されている、
請求項１乃至請求項１３のいずれか１項に記載のＭＲ適合変換器。
【請求項１５】
前記複数のコンテナは、基板上の所定位置に取り付けられて、互いに対して前記複数のコンテナの相対位置を固定する、
請求項１４に記載のＭＲ適合変換器。
【請求項１６】
前記基板は、可撓性材料であるのが好ましい材料のシートである、
請求項１５に記載のＭＲ適合変換器。
【請求項１７】
前記基板は、使用中、人の被検体ユーザの頭部に着用されてもよいような帽子状基板である、
請求項１５又は請求項１６に記載のＭＲ適合変換器。
【手続補正２】
【補正対象書類名】明細書
【補正対象項目名】００７０
【補正方法】変更
【補正の内容】
【００７０】
追加、削除、又は置換によるかどうかの様々なさらなる改変が、さらなる実施の形態を提供するために上で述べた実施の形態に対して行われてもよく、そのうちのいずれか及びすべては、付帯する特許請求の範囲によって包含されることを意図している。
１．  第１の態様のＭＲ適合変換器は；
磁気共鳴弾性率計測のための磁気共鳴（ＭＲ）適合変換器であって：
片持駆動要素であって、自由端が、使用中に運動力の下で往復動するように配置された片持駆動要素と；
可撓性非導電性のスリーブ内に摺動可能に配設された可撓性非導電性の連結ロッドであって、近位端において前記片持駆動要素に取り付けられた可撓性非導電性の連結ロッドと；
使用中に被検体と接触するピストン要素が取り付けられた片持被駆動要素であって、前記連結ロッドの遠位端に取り付けられた片持被駆動要素とを備え；
本構成は、前記運動力の下での前記片持駆動要素の往復動が、前記連結ロッドを介して前記片持被駆動要素に伝達されるような配置である。
２．  第２の態様のＭＲ適合変換器は、上記第１の態様において、前記連結ロッドは、近位端において、使用中、近位可撓性接続片を介して前記片持駆動要素に取り付けられ、前記近位可撓性接続片は、前記片持駆動要素が固定端を中心に往復動する際に僅かな回転運動を吸収し、さらに前記片持駆動要素の回転往復動を前記スリーブ内での前記連結ロッドの純粋な並進往復運動に変換する。
３．  第３の態様のＭＲ適合変換器は、上記第１の態様又は第２の態様において、前記連結ロッドの前記遠位端は、前記連結ロッドの前記遠位端と前記片持被駆動要素との間の接続を形成する遠位可撓性接続片が設けられており、片持枢動点を中心とする前記片持被駆動要素の回転運動に変換される前記ロッドの純粋な並進往復運動を吸収する。
４．  第４の態様のＭＲ適合変換器は、上記第１の態様乃至第３の態様のいずれかにおいて、前記ピストン要素は、前記片持被駆動要素の平面に対して実質的に直交して延在するように配置されている。
５．  第５の態様のＭＲ適合変換器は、上記第１の態様乃至第３の態様のいずれかにおいて、前記ピストン要素は、前記片持被駆動要素の平面に対して鋭角に配置されている。
６．  第６の態様のＭＲ適合変換器は、上記第１の態様乃至第５の態様のいずれかにおいて、前記ロッド及び前記スリーブは、前記ロッドが前記スリーブ内で延在しながら、前記片持駆動要素が使用時にＭＲ装置の穴の外側に残ることができるのに十分な長さである。
７．  第７の態様のＭＲ適合変換器は、上記第１の態様乃至第６の態様のいずれかにおいて、前記片持駆動要素は、接触して取り付けられたワイヤのコイルを有し、使用中に前記コイルがＭＲＩスキャナのＢ０場と相互作用して前記片持駆動要素のための運動力を提供するように、使用中に前記コイルを通って交流電流が供給される。
８．  第８の態様のＭＲ適合変換器は、上記第１の態様乃至第６の態様のいずれかにおいて、前記片持駆動要素に前記運動力を提供するように配置された計時機構をさらに備える。
９．  第９の態様のＭＲ適合変換器は、上記第８の態様において、前記計時機構は、前記片持駆動要素の端部に取り付けられた偏心錘を回転するように配置されている。
１０．  第１０の態様のＭＲ適合変換器は、上記第８の態様において、前記計時機構は、前記片持駆動要素の端部に偏心して取り付けられている。
１１．  第１１の態様のＭＲ適合変換器は、上記第８の態様乃至第１０の態様のいずれかにおいて、前記計時機構は、ＭＲ適合であるように、例えばプラスチック材料などの非磁性材料から実質的にできている。
１２．  第１２の態様のＭＲ適合変換器は、上記第８の態様において、前記片持駆動要素に前記運動力を提供するレーザをさらに備え、本構成は、使用中に前記レーザがレーザパルスを前記駆動要素の前記自由端に向け、前記片持駆動要素上のレーザ光子の衝突により、前記片持駆動要素の動きが生じるように配置されている。
１３．  第１３の態様のＭＲ適合変換器は；
磁気共鳴弾性率計測のための磁気共鳴（ＭＲ）適合変換器であって：
使用中に被検体と接触するピストン要素が取り付けられた片持被駆動要素と；
使用中に振動を生じさせるように、使用中に前記片持被駆動要素に運動力を作用させるように配置された結晶質を有するクリスタルベースの駆動編成とを備える。
１４．  第１４の態様のＭＲ適合変換器は、上記第１３の態様において、前記クリスタルベースの駆動編成は、光学機械式クリスタルと、前記光学機械式クリスタルを照明するための手段とを備える。
１５．  第１５の態様のＭＲ適合変換器は、上記第１４の態様において、前記光学機械式クリスタルを照明するための前記手段は、光源と、前記光学機械式クリスタルに入射するように前記光源からの光を案内するように配置された導波路と、を備える。
１６．  第１６の態様のＭＲ適合変換器は、上記第１４の態様又は第１５の態様において、照明するための前記手段は、使用中、１つ以上のパラメータの第１の設定を有する第１の光と、これに続く、１つ以上のパラメータの第２の設定を有する第２の光とにより、前記光学機械式クリスタルを繰り返し照明するように配置され、前記第２の設定の１つ以上のパラメータは、振動運動を生じるように、前記第１の設定において対応するパラメータとは異なる。
１７．  第１７の態様のＭＲ適合変換器は、上記第１６の態様において、前記第１の光は、前記第２の光とは異なる波長又は波長の範囲を有する。
１８．  第１８の態様のＭＲ適合変換器は、上記第１３の態様において、前記クリスタルベースの駆動編成は、圧電クリスタルと、電界により前記圧電クリスタルを変形させるための手段とを備える。
１９．  第１９の態様のＭＲ適合変換器は、上記第１８の態様において、前記圧電クリスタルを変形させる前記手段は、電気信号発生器と導電体とを備える。
２０．  第２０の態様のＭＲ適合変換器は、上記第１９の態様において、前記電気信号発生器は、振動運動を生じさせるように前記圧電クリスタルに複数の電気パルスを供給するように編成されている。
２１．  第２１の態様のＭＲ適合変換器は、上記第１３の態様乃至第２０の態様のいずれかにおいて、流体充填クッションが前記ピストン要素の前記遠位端に配置され、前記流体充填クッションに充填されている流体は非圧縮性である。
２２．  第２２の態様のＭＲ適合変換器は、上記第２１の態様において、前記流体充填クッションは、使用時に被検体と接触する表面に、複数の非圧縮性スタッドが配置されている。
２３．  第２３の態様のＭＲ適合変換器は；
磁気共鳴弾性率計測のための磁気共鳴（ＭＲ）適合変換器であって：
使用中、接触する対象に振動を伝達する少なくとも１つの外面を有するコンテナ内で回転するように配置された、回動可能に取り付けられた偏心質量体と；
前記回動可能に取り付けられた偏心質量体に対して機能するように接続され、前記回動可能に取り付けられた偏心質量体に回動エネルギーを与えるように配置された駆動軸とを備え；
前記質量体、前記コンテナ、及び前記駆動軸は、ＭＲ適合材料からできている。
２４．  第２４の態様のＭＲ適合変換器は、上記第２３の態様において、前記駆動軸は可撓性である。
２５．  第２５の態様のＭＲ適合変換器は、上記第２４の態様において、前記駆動軸は、可撓性非回転シース内に可撓性回転コアを備える。
２６．  第２６の態様のＭＲ適合変換器は、上記第２５の態様において、前記可撓性回転コアはリン青銅からできている。
２７．  第２７の態様のＭＲ適合変換器は、上記第２３の態様乃至第２６の態様のいずれかにおいて、前記偏心質量体は、表面全体に不均一な質量配分を有するディスク状片を備える。
２８．  第２８の態様のＭＲ適合変換器は、上記第２３の態様乃至第２７の態様のいずれかにおいて、前記偏心質量体は、質量中心のまわりに構造の対称性がないように、１つ以上の取り除かれた部分を有するディスク状片を備える。
２９．  第２９の態様のＭＲ適合変換器は、上記第２３の態様乃至第２８の態様のいずれかにおいて、前記偏心質量体はディスク状片を備え、前記ディスク状片は、回転軸線が質量中心にないように、回動可能に偏心して取り付けられている。
３０．  第３０の態様のＭＲ適合変換器は、上記第２３の態様乃至第２９の態様のいずれかにおいて、前記偏心質量体は、回動軸線のまわりに前記質量体の回動位置を示すための手段を有する。
３１．  第３１の態様のＭＲ適合変換器は、上記第３０の態様において、示すための前記手段は、前記質量体の外面上に位置決めされ、回転軸線まわりに前記質量体と共に回転するように配置された反射部分を備え、本構成は、前記反射部分を照らすように配置された光源と、前記質量体の前記回動位置の決定に用いるために前記反射部分からの光を集めるように配置された集光編成とを備える。
３２．  第３２の態様のＭＲ適合変換器は、上記第３１の態様において、前記光源及び前記集光編成は、前記反射部分上に光を向けると共に反射された光を集めるように配置された共通の光導波路を備える。
３３．  第３３の態様のＭＲ適合変換器は、上記第３２の態様において、
前記光導波路は光ファイバである。
３４．  第３４の態様のＭＲ適合変換器は、上記第２３の態様乃至第３３の態様のいずれかにおいて、前記コンテナは、複数の回転可能に取り付けられた偏心質量体を内部に有し、前記複数の回転可能に取り付けられた偏心質量体は、異なる速度で回転することを可能にするように、それぞれの軸を有する。
３５．  第３５の態様のＭＲ適合変換器は、上記第３４の態様において、前記それぞれの軸は、それぞれの軸に取り付けられた異なる大きさのそれぞれの歯車を有し、本構成は、前記それぞれの軸のうちの１つに適用された共通の回転駆動装置の回転によって異なる回転速度を提供するように、前記歯車同士が共に噛合う。
３６．  第３６の態様のＭＲ適合変換器は、上記第２３の態様乃至第３５の態様のいずれかにおいて、複数のコンテナを備え、前記複数のコンテナは、共通の回転駆動装置からそれぞれの振動エネルギーを生成するように、長さのある回転駆動軸のそれぞれによって連続して連結されている。
３７．  第３７の態様のＭＲ適合変換器は、上記第３６の態様において、前記複数のコンテナは、基板上の所定位置に取り付けられて、互いに対して前記複数のコンテナの相対位置を固定する。
３８．  第３８の態様のＭＲ適合変換器は、上記第３７の態様において、前記基板は、可撓性材料であるのが好ましい材料のシートである。
３９．  第３９の態様のＭＲ適合変換器は、上記第３７の態様又は第３８の態様において、前記基板は、使用中、人の被検体ユーザの頭部に着用されてもよいような帽子状基板である。